(57)【要約】【目的】他の工具を使用せずに掛合或いは分離の動作が容易にでき、操作時間を短縮することができる掛合装置を提供する。【構成】掛合アーム１０２、定位クリップ１０４から構成される。この掛合アーム１０２は２つの接合アーム１０２ａ，１０２ｂを対応結合して得たものであり、この２つの接合アーム１０２ａ，１０２ｂには、結合された後も所定の活動空間が存在する。定位グリップ１０４は掛合アーム１０２に対応させて接合する。【選択図】    図３
2004318767.tif 000002
【特許請求の範囲】
【請求項１】
第１接合アームと、
前記第１接合アームと前記第２接合アームを対応するように結合して掛合アームを構成し、前記第１接合アームおよび前記第２接合アームを結合した後も所定の活動空間を依然有する第２接合アームと、
前記掛合アームに対応して接合し、前記定位クリップと前記掛合アームとの間に動作メカニズムが存在する定位クリップとを具備することを特徴とする掛合装置。
【請求項２】
前記掛合アームと互いに掛合される留めフレームをさらに含むことを特徴とする請求項１記載の掛合装置。
【請求項３】
前記定位クリップは前記動作メカニズムにより前記掛合アームと前記留めフレームを掛合するか或いは分離することができるものであることを特徴とする請求項２記載の掛合装置。
【請求項４】
前記定位クリップに対応するように接合し、前記定位クリップと前記ベースが前記動作メカニズムにより互いに連動するベースをさらに含むことを特徴とする請求項１記載の掛合装置。
【請求項５】
前記留めフレームと前記ベースとの間に第１放熱構造と被放熱構造とを挟み、前記動作メカニズムにより前記第１放熱構造を前記被放熱構造上に緊密に貼り合わせるものであることを特徴とする請求項４記載の掛合装置。
【発明の詳細な説明】
【発明の属する技術分野】
【０００１】
本発明は掛合装置に関し、特に、外部工具を使用せずに掛合と分離を容易に行うことができる掛合装置に関する。
【０００２】
【従来の技術】
コンピュータ部品の中でも中央処理装置（Ｃｅｎｔｒａｌ  Ｐｒｏｃｅｓｓｉｎｇ  Ｕｎｉｔ＝ＣＰＵ）は作動により発生する熱量が非常に高く、この熱量がすばやく排除されない場合、中央処理装置は容易に焼損した。そのため、従来の中央処理装置では、その表面に放熱構造を設けて中央処理装置が発生する熱量を取り除いていた。
【０００３】
しかし、放熱構造が中央処理装置に密着していない場合、有効的かつ迅速に熱を排除することができないため、従来技術では留め具を使用して中央処理装置と放熱構造とを一つに密着していた。
【０００４】
従来技術は、留め具が弾性を有する掛合アームおよび留めフレームから構成され、掛合アームを留めフレームに掛合する際に発生する弾力により、放熱構造を中央処理装置上に強く圧着していた。
【０００５】
しかしながら、従来の留め具構造中においては、掛合アームと留めフレームとを互いに掛合或いは分離するため、他に掛合工具（例えばマイナスドライバーなど）を使用して適当な力を加えなければならなかった。そして、このようにしなければ掛合アームと留めフレームとを互いに掛合或いは分離することができなかった。前述の掛合方式は、一定レベルの掛合技術と適当な掛合道具がないと、掛合或いは分離の動作をスムーズに完了することができなかった。
【０００６】
また、従来技術には留め具の掛合および分離を行うために、その他の掛合工具の使用が必要ない留め具も存在した。しかし、このタイプの留め具には特定構造の掛合構造を加える必要があるうえ、連続かつ複雑な掛合手順及び分離手順によらなければ、掛合動作と分離動作を完了することはできなかった。このタイプの留め具は製造コストが高いだけでなく、簡単な動作一つで掛合と分離を完了させることもできなかった。
【０００７】
【発明が解決しようとする課題】
したがって、本発明の目的は、他に工具を使用せずに掛合或いは分離の動作が容易にでき、操作時間を短縮することができる掛合装置を提供することである。
【０００８】
本発明の他の目的は、簡単な動作により容易に掛合或いは分離の動作を行い操作時間を短縮することができる掛合装置を提供することである。
【０００９】
【課題を解決するための手段】
上述の目的を達成するために、本発明は掛合装置を提供する。この掛合装置は掛合アームおよび定位クリップから構成される。
即ち、本発明にあっては、第１接合アームと、前記第１接合アームと前記第２接合アームを対応するように結合して掛合アームを構成し、前記第１接合アームおよび前記第２接合アームを結合した後も所定の活動空間を依然有する第２接合アームと、前記掛合アームに対応して接合し、前記定位クリップと前記掛合アームとの間に動作メカニズムが存在する定位クリップとを具備することを特徴とする。
【００１０】
また、本発明にあっては、前記掛合アームと互いに掛合される留めフレームをさらに含むことを特徴とする。さらに、本発明にあっては、前記定位クリップは前記動作メカニズムにより前記掛合アームと前記留めフレームを掛合するか或いは分離することができるものであることを特徴とする。さらに、本発明にあっては、前記定位クリップに対応するように接合し、前記定位クリップと前記ベースが前記動作メカニズムにより互いに連動するベースをさらに含むことを特徴とする。
上記掛合アームは２つの接合アームを対応結合することにより得て、この２つの接合アームを結合した後も所定の活動空間が存在する。定位クリップは掛合アームに対応させて接合する。
本発明の掛合装置はベースをさらに含み、このベースは定位クリップと互いに対応して接合され、定位クリップとベースとの間には動作メカニズムが存在する。
【００１１】
本発明の掛合装置は留めフレームをさらに含み、この留めフレームは掛合アームに掛合される。そして、定位クリップは前述の動作メカニズムにより掛合アームと留めフレームを掛合或いは分離することができる。
【００１２】
留めフレームとベースの間に放熱構造と被放熱構造を挟み、前述の動作メカニズムにより放熱構造を被放熱構造上に密着させる。さらに前述の放熱構造上にファンのような放熱構造を接合することも可能である。そして、ベース上が結合部を有して、この結合部によりファンなどの放熱構造と結合させてもよい。
【００１３】
また、本発明の掛合装置は同時に複数個の掛合装置を有してもよい。
【００１４】
【作用】
上述したことから分かるように、本発明は掛合装置の掛合アームが分離された２つの接合アームから構成され、組み合わされた２つの接合アームの間には僅かな運動空間が存在する。そして、接合アーム本体が掛合サイズを容易に調整することができる機能を有するため、僅かな力を加えるだけで容易に掛合アームを留めフレーム或いは基板上に留めることできる。
【００１５】
そして、定位クリップを回転させることにより掛合アームを容易に留めフレーム或いは基板上に掛合させるか、または掛合アームを留めフレーム或いは基板と分離させることができる。そのため、本発明の掛合装置はその他の工具或いは技術が必要なく、簡単な動作一つにより前述の掛合或いは分離の動作を容易に行うことができる。
【００１６】
【発明の実施の形態】
以下、本発明の実施形態を図面に基づいて説明する。図１は、本発明の好適な一実施形態による掛合装置を示した斜視図である。図２は、図１の掛合装置の一部分を示した組立分解図である。図３は、図２の掛合装置の斜視図である。図４は、好適な実施形態による掛合装置の応用を示した斜視図である。
【００１７】
図１から図３に示すように、本発明の掛合装置１００は掛合アーム１０２および定位クリップ（ｒｅｔａｉｎｅｒ  ｃｌｉｐ）１０４から構成され、そのうち掛合アーム１０２を分離された接合アーム１０２ａ，１０２ｂを対応結合して構成し、結合された接合アーム１０２ａ，１０２ｂには僅かな活動空間が存在する。
【００１８】
図１に示すように、掛合アーム１０２は分離された接合アーム１０２ａ，１０２ｂを対応結合することにより構成される。接合アーム１０２ａは結合部１１０ａ、アーム体１１２ａ、掛合部１１４ａの３つの部分に分けられ、接合アーム１０２ｂは結合部１１０ｂ、アーム体１１２ｂ、掛合部１１４ｂの３つの部分に分けられる。結合部１１０ａ，１１０ｂは互いに対応した形式であり、接合アーム１０２ａ，１０２ｂは容易に対応させて結合することができ、例えばそれは嵌合式、凹凸接合式などである。アーム体１１２ａ，１１２ｂは接合アーム１０２ａ，１０２ｂの主体部分であり、その形式は掛合構造のタイプ或いは実際上のニーズにより決定され、例えばそれはＬ字形である。掛合部１１４ａ，１１４ｂの形式は被掛合構造の掛合部に対応し、例えばそれは掛着式、嵌着式、凹凸接合式、挟着式などである。
【００１９】
図２に示すように、定位クリップ１０４は定位クリップ主体１１６および定位部１１８の２つの部分に分けられ、定位部１１８の数は掛合アーム１０２の数により決定される。定位部１１８と掛合アーム１０２とは互いに対応し、さらに詳しく述べると、定位部１１８は掛合アーム１０２の結合部１１０ａ，１１０ｂに対応して接合される。定位クリップ１０４と掛合アーム１０２との間の接合方法は定位クリップ１０４と掛合アーム１０２とを接合しても依然移動することができる方法であり、例えばそれは掛接法、凹凸接続法、挟着法である。また、定位部１１８の形状は回転メカニズムの形状に対応したものであり、例えばそれはＬ字形である。さらに前述の回転メカニズムは定位クリップ１０４と後述のベース１０６とを接合してから、定位クリップ１０４を回転させて、定位クリップ１０４をベース１０６上で、所定の軌道に沿って容易に上昇または下降させることができる。
【００２０】
図３に示すように、本発明の掛合装置１００はベース１０６を含んでもよい。ベース１０６は定位槽１２８および定位孔１２４を有する。定位槽１２８を使用して掛合アーム１０２をベース１０６上に定位し、掛合アーム１０２を所定位置上で動かす。定位槽１２８の形式は掛合アーム１０２に対応したタイプである。定位孔１２４を使用して定位クリップ１０４をベース１０６上に定位させて、定位クリップ１０４は定位孔１２４の形状に沿って上昇あるいは下降することができる。定位孔１２４は、切面幅が固定栓１２０の最大幅よりも僅かに大きい所定軌道の形状を有する。
【００２１】
また、ベース１０６上には結合部１２２を形成してもよく、この結合部１２２を使用してファン２０４（図３を参照）などの放熱構造を固接し、被掛合物件の放熱効果を高める。ベース１０６上に固定部１２６を形成し、定位クリップ１０４をベース１０６上に強く固定してもよい。この際、掛合アーム１０２は同時に後述の留めフレーム２０２上に固接される。
【００２２】
本発明の掛合装置２００には、図１および図２の掛合装置１００以外、図４のような留めフレーム２０２も含まれる。留めフレーム２０２は掛合装置１００に対応した結合部２０８を有し、留めフレーム２０２と掛合装置１００とを掛合して、被掛合の各構造（放熱構造および被放熱構造）を一つに緊密掛合する。結合部２０８の形状は掛合アーム１０２の掛合部１１４ａ，１１４ｂの形状により決定される。
【００２３】
本発明の掛合装置は２個の掛合アームを例に説明したが、もちろんこれだけに限定されるわけではなく、１個或いは２個以上の掛合アームに変更してもよい。
【００２４】
一実施形態により定位クリップ１０４、掛合アーム１０２およびベース１０６の接合方式を説明する。まず結合部１１０ａ，１１０ｂ上に互いに対応した固定孔１０８ａ，１０８ｂを形成する。それから２つの結合部１１０ａ，１１０ｂを対応させて接合し、この実施形態中では接合後の固定孔１０８ａ，１０８ｂが同一軸心位置上に位置する。
【００２５】
それから、図３に示すように、定位クリップ１０４の定位部１１８で結合部１１０ａ，１１０ｂを挟着し、固定栓１２０（ここでは定位部１１８内側に位置した突出部分を指す）を固定孔１０８ａ、１０８ｂに通し、定位クリップ１０４と掛合アーム１０２とを互いに接合しても、掛合アーム１０２の接合アーム１０２ａ，１０２ｂは、限定された空間中において固定栓１２０を軸心に同時回転動作および個別の回転動作が行える。
【００２６】
続いて、定位クリップ１０４および掛合アーム１０２をベース１０６上に設置して、掛合アーム１０２を定位槽１２８中に嵌入するとともに、固定栓１２０を定位孔１２４中に入れて、定位クリップ１０４をベース１０６上に固接すると、定位クリップ１０４はベース１０６上で前述の回転メカニズムを行うことができる。具体的な実施形態としては、定位孔１２４を長細い形状に設計し、その幅を固定栓１２０の最大厚みに対応させる。そのため固定栓１２０を定位孔１２４に嵌入した後でも、容易に固定栓１２０の形状に沿って所定軌道中で移動動作することができ、固定栓１２０は定位孔１２４を外れることがないとともに、定位クリップ１０４もベース１０６を外れることがない。
【００２７】
また、図１から図４を同時に参照して、中央処理装置（Ｃｅｎｔｒａｌ  Ｐｒｏｃｅｓｓｉｎｇ  Ｕｎｉｔ＝ＣＰＵ）を被放熱構造とした場合の掛合装置２００の応用例を説明する。先ず、中央処理装置（図示せず）上に放熱構造２０６を設置するが、その放熱構造２０６は例えばヒートシンク（ｈｅａｔ  ｓｉｎｋ）、熱管、放熱ファンなどである。それから、放熱構造２０６および中央処理装置を一緒に留めフレーム２０２上に設置し（図４では中央処理装置が放熱構造２０６と留めフレーム２０２との間に挟まれた状態である）、掛合装置１００を放熱構造２０６上に設置する。続いて、定位クリップ１０４を回転して固定部１２６に定位クリップ１０４を固定すると、掛合アーム１０２の掛合部１１４ａ，１１４ｂが結合部２０８に接合して、掛合装置２００内に位置する放熱構造２０６を中央処理装置上に緊密接合する。
【００２８】
他に、放熱構造２０６の放熱効率を向上させるために、掛合装置２００上にもう一つの放熱構造を設置して放熱構造２０６の放熱効果を高めてもよい。例えば、ファン構造２０４を掛合装置２００上に接合するか、またはファン構造２０４を放熱構造２０６上に直接接合してもよい。
【００２９】
本発明では好適な実施形態を前述の通り開示したが、これらは決して本発明に限定するものではなく、当該技術を熟知するものなら誰でも、本発明の精神と領域を脱しない範囲内で各種の変動や潤色を加えることができ、従って本発明の保護の範囲は、特許請求の範囲で指定した内容を基準とする。
【００３０】
【発明の効果】
上述の本発明の掛合装置およびその使用方法から明らかなように、本発明の掛合装置の掛合アームが分離された２つの接合アームから構成され、組み合わされた２つの接合アームの間には僅かな運動空間が存在する。そして、接合アーム本体は掛合サイズを容易に調整することができる機能を有するため、僅かな力を加えるだけで掛合アームを留めフレーム或いは基板上に容易に留めることできる。
【００３１】
また、定位クリップを回転させて掛合アームを容易に留めフレーム或いは基板上に掛合させるか、または掛合アームを留めフレーム或いは基板と分離させることができる。そのため、本発明の掛合装置はその他の工具或いは技術を必要とせず、簡単な動作一つにより前述の掛合或いは分離の動作を容易に行うことができる。
【図面の簡単な説明】
【図１】本発明の好適な一実施形態による掛合装置を示す斜視図である。
【図２】本発明の好適な一実施形態による掛合装置の一部分を示す組立分解図である。
【図３】図２の掛合装置を示す斜視図である。
【図４】本発明の好適な一実施形態による掛合装置の応用を示す斜視図である。
【符号の説明】
１００、２００    掛合装置
１０２    掛合アーム
１０２ａ、１０２ｂ    接合アーム
１０４    定位クリップ
１０６    ベース
１０８ａ、１０８ｂ    固定孔
１１０ａ、１１０ｂ、１２２、２０８    結合部
１１２ａ、１１２ｂ    アーム体
１１４ａ、１１４ｂ    掛合部
１１６    定位クリップ主体
１１８    定位部
１２０    固定栓
１２４    定位孔
１２６    固定部
１２８    定位槽
２０２    留めフレーム
２０４    ファン構造
２０６    放熱構造
【図１】
2004318767.tif 000003
【図２】
2004318767.tif 000004
【図３】
2004318767.tif 000005
【図４】
2004318767.tif 000006